(57)【要約】【課題】効率のよい液体オゾンの気化を可能とすると共に、装置の破損の虞を無くすことが可能なオゾン濃縮装置を提供する。【解決手段】底面２ｃにフィンと連通部からなるフィンパターン３５を設け、底面２ｃを内側と外側に区切るフィンにより、液体オゾンを気化させる際の単位面積あたりの熱伝達面積を大きく確保すると共に、フィンの内側と外側を連通する連通部により、液体オゾンを底面２ｃの全領域にわたって満遍なく及ばせる。これによって、低い熱流束で液体オゾンを気化させ気泡の発生を抑え破裂によるオゾン分解を防止しつつ、大きくされた熱伝達面積により、効率よく大量の液体オゾンを気化させる。また、液体オゾンを気化させるために必要な液位を確保した場合に、気化部２に貯留する液体オゾンの量をフィンの体積分だけ減少させ、オゾン分解を一層防止する。【選択図】図３
2008007339.tif 000002
【特許請求の範囲】
【請求項１】
オゾナイザで生成されたオゾンガスをオゾン沸点以下の温度まで冷却し液体オゾンと非凝縮気体とに分離する冷却手段と、
前記冷却手段により分離された液体オゾンを加熱して気化し濃縮オゾンを得る気化部と、を具備するオゾン濃縮装置において、
前記気化部は、底面を内側と外側とで区切るフィンを有すると共に、前記フィンの内側と外側とを連通する連通部を有することを特徴とするオゾン濃縮装置。
【請求項２】
前記気化部の前記底面には、前記液体オゾンが供給される入口と、前記入口を中心として径方向の異なる位置に複数の前記フィンとが設けられ、
一の連通部と、前記一の連通部に径方向に隣接する連通部とは、径方向に重ならないように設けられていることを特徴とする請求項１記載のオゾン濃縮装置。
【請求項３】
前記フィンの縁部は、円弧状に構成され、
前記フィンの上部の円弧と、底部の円弧とは、直線で結ばれる構造であることを特徴とする請求項１または２に記載のオゾン濃縮装置。
【請求項４】
径方向に重なる前記フィン同士の間隔は、上方側が下方側よりも大きいことを特徴とする請求項１〜３の何れか一項に記載のオゾン濃縮装置。
【請求項５】
前記底面及び前記フィンは、オゾンにより酸化されない表面を有するものであることを特徴とする請求項１〜４の何れか一項に記載のオゾン濃縮装置。
【請求項６】
前記底面及び前記フィンは、ステンレス鋼あるいはチタンであることを特徴とする請求項５記載のオゾン濃縮装置。
【請求項７】
前記液体オゾンと前記非凝縮気体との分離境界面と前記気化部との間を、液封を可能とする液封部で接続し、
前記液封部内には、毛細管力を発現する充填材が充填されていることを特徴とする請求項１〜６の何れか一項に記載のオゾン濃縮装置。
【発明の詳細な説明】
【技術分野】
【０００１】
本発明は、オゾナイザで生成されたオゾンガスを濃縮するオゾン濃縮装置に関する。
【背景技術】
【０００２】
例えば半導体等の製造に用いられる高濃度オゾンガスは、オゾンを含有するオゾンガスをオゾン濃縮装置で濃縮することで生成される。このオゾン濃縮装置としては、空気や酸素を基にオゾン発生器（オゾナイザ）で生成されたオゾンガスを、タンク状のオゾン液化室で冷却し液体オゾンと酸素とに分離境界面を境として分離し、オゾン液化室の上部から酸素を排気すると共にオゾン液化室の底部に液体オゾンを貯え、この液化室に貯えられた液体オゾンを、当該液体オゾンにより液封する連通管（液封部）を経由してタンク状のオゾン気化室（気化部）に導入し、当該オゾン気化室で液体オゾンを加熱して気化し濃縮オゾン（高濃度オゾンガス）を得る装置が知られている（例えば、特許文献１参照）。
【特許文献１】特開平１−２５７１０３号公報
【発明の開示】
【発明が解決しようとする課題】
【０００３】
ここで、高濃度オゾンガス（一般的にはオゾンの体積比率が１０％以上）は、例えば、金属微粒子の触媒作用、高温、衝撃力、オゾンで分解する有機性ガス等のトリガーがあると、自己分解して発熱し（Ｏ３→１．５Ｏ２＋１４３ｋJ／mol）、その分解時の発熱で他のオゾンガスが加熱されて自己分解したり、液体オゾンが加熱されて気化し自己分解するという連鎖反応を起こす虞がある。
【０００４】
従って、上記濃縮装置にあっては、上記トリガー等が要因となってオゾン気化部で万一オゾン分解が生じると、これにより、気化部に貯えられている液体オゾンが加熱されて気化し連鎖的にオゾン分解が生じる結果、温度が急上昇すると共に体積が急膨張して圧力が急上昇し、装置の破損を招く虞がある。
【０００５】
本発明は、このような課題を解決するために成されたものであり、気化部におけるオゾン分解を防止し、装置の破損の虞を無くすことが可能なオゾン濃縮装置を提供することを目的とする。
【課題を解決するための手段】
【０００６】
ここで、通常の気化装置においては、高い熱流束（単位面積当たりに伝えられる熱量）で効率よく液体を気化させるため、液体中に発生した蒸気泡を核として気泡を生じさせる核沸騰域（図９参照）にて沸騰させることが一般的である。しかし、本発明者らは、液体オゾンに関しては、高い熱流束にて加熱すると急激な気化が起こり大量の気泡が発生し、この気泡の破裂がトリガーとなりオゾン分解が生じる虞があることを、クライオ真空ポンプの冷却板の再生実験により確認した。そして、本発明者らは、クライオ真空ポンプの冷却板を、液体オゾンの沸点（−１１１．９℃）以下の温度である−１５０℃から徐々に加温した窒素ガスで再生することにより、オゾン分解が生じなくなることを確認し、これを知見として、液体オゾンの場合は、気泡の発生を伴うことなく気化させることのできる条件（非沸騰域）あるいは独立気泡の条件（核沸騰域におけるＢ点以下）で気化させることが適切であることを見出し、これによってオゾン分解が防止された状態でオゾンガスを製造できることを見出した。
【０００７】
一方、本発明者らは、上述した条件では、大きい過熱度（液体オゾンと伝熱面の温度差）を与えることができず低い熱流束にて気化させることとなるので、この条件によって大気圧下で大量の液体オゾンを気化させるためには、できる限り熱伝達面積を大きくしなくてはならないことも見出した。
【０００８】
ここで、底面が水平円板型の気化部では、熱伝達面積を大きくするためには底面を大きくする必要があるが、これは、装置が大型化してしまい現実的ではない。また、液体オゾンを気化させるにはある程度の液位で底面に貯留させる必要があるが、この貯留される液体オゾンの量が多くなると、オゾン分解及び連鎖的なオゾン分解が生じ易く、装置の破壊を招く虞がある。以上により、本発明者らは、熱伝達面である気化部の底面を立体的にすることが有効であり、このようなオゾン濃縮装置においては、底面を大きくすることなく（水平方向に大きくすることなく）熱伝達面積を大きくすることができ、また、ある程度の液位を確保した際に底面に貯留される液体オゾンの量を減少させることができることを見出した。
【０００９】
そこで、本発明によるオゾン濃縮装置は、オゾナイザで生成されたオゾンガスをオゾン沸点以下の温度まで冷却し液体オゾンと非凝縮気体とに分離する冷却手段と、冷却手段により分離された液体オゾンを加熱して気化し濃縮オゾンを得る気化部と、を具備するオゾン濃縮装置において、気化部は、底面を内側と外側とで区切るフィンを有すると共に、フィンの内側と外側とを連通する連通部を有することを特徴とする。
【００１０】
このようなオゾン濃縮装置によれば、気化部の底面には、底面を内側と外側とで区切るフィンが設けられているため、液体オゾンを気化させる際の単位面積あたりの熱伝達面積が大きく確保される。更に、フィンの内側と外側とを連通する連通部が設けられているため、気化部に供給された液体オゾンは、その連通部を通過し、底面の全領域にわたって満遍なく及ぶこととなる。これによって、低い熱流束で液体オゾンを気化させ気泡の発生を抑え破裂によるオゾン分解を防止しつつ、大きくされた熱伝達面積により、効率よく大量の液体オゾンを気化させることが可能とされる。また、ある程度の液位を確保した場合であっても、気化部に貯留する液体オゾンの量がフィンの体積分だけ減少されるため、一層オゾン分解が防止される。以上により、効率のよい液体オゾンの気化が可能とされると共に、装置の破壊の虞が無くされる。
【００１１】
ここで、気化部の底面には、液体オゾンが供給される入口と、入口を中心として径方向の異なる位置に複数のフィンとが設けられ、一の連通部と、一の連通部に径方向に隣接する連通部とは、径方向に重ならないように設けられていることが好ましい。このような構成を採用した場合、液体オゾンが供給される入口を中心として径方向の異なる位置に複数のフィンが設けられると共に、フィンの内側と外側とを連通する連通部が形成され、更に、それぞれの連通部は径方向に重なっていないので、液体オゾンはショートパスすることなく複数の連通部を介して、底面の全領域にわたって一層満遍なく及ぶこととなる。これによって、確実に熱伝達面積を大きくすることが可能とされる。
【００１２】
また、フィンの縁部は、円弧状に構成され、フィンの上部の円弧と、底部の円弧とは、直線で結ばれる構造であることが好ましい。このような構成を採用した場合、フィンの縁部は円弧状に構成されているため、その位置において気泡が発生しても上方に離脱し易くなり、合体気泡の生成が防止される。よって、破裂してしまう虞のある程度にまで気泡が成長することを防止することが可能とされる。また、フィンの縁部が鋭利な形状である場合は、気泡が接触破裂しオゾン分解が発生する虞があるが、フィンの縁部が円弧状に構成されているため、気泡の接触による破裂が防止される。また、フィンの上部の円弧と、底部の円弧とは直線で結ばれている（凹凸となっていない）ため、一層気泡の接触による破裂が防止される。これによって、オゾン分解を一層防止することが可能とされる。
【００１３】
また、径方向に重なるフィン同士の間隔は、上方側が下方側よりも大きいことが好ましい。このような構成を採用した場合、凹部が上方に向かって広がるような形状となるため、径方向に重なるフィン同士の間で発生した気泡が上方に一層離脱し易くされる。これによって、オゾン分解を一層防止することが可能とされる。
【００１４】
また、底面及びフィンは、オゾンにより酸化されない表面を有するものであることが好ましい。このような構成を採用した場合は、底面及びフィンの表面がオゾンにより酸化される際に引き起こされるオゾン分解を防止することが可能とされる。
【００１５】
また、底面及びフィンとしては、具体的には、例えば、ステンレス鋼あるいはチタンが挙げられる。このような材質を用いた場合は、オゾンにより直後は酸化されるが、継続してオゾンに浴することにより、表面に不動体被膜が形成され（不動体処理）、オゾンにより酸化されなくなる。これによって、オゾン分解を防止することが可能とされる。
【００１６】
また、液体オゾンと非凝縮気体との分離境界面と気化部との間を、液封を可能とする液封部で接続し、液封部内には、毛細管力を発現する充填材が充填されていることが好ましい。このような構成を採用した場合は、液封部内の充填材の毛細管力により液体オゾンは気化部に微量ずつ良好に導かれるため、上記気化部の作用、すなわち気化部の底面の内側から外側まで液体オゾンを少ない量で満遍なく行きわたらせるという作用を、一層好適に奏することが可能とされる。また、気化部で万一オゾン分解が生じても、発生する熱は液封部内にあっては充填材の熱容量により吸収されると共に当該充填材により液体オゾンの量が一層低減されることになり、液体オゾンの気化による連鎖的なオゾン分解が一層抑制され、装置の破損の虞が一層無くされる。
【発明の効果】
【００１７】
このように本発明によるオゾン濃縮装置によれば、気化部における効率のよい液体オゾンの気化が可能となると共に、気化部におけるオゾン分解を防止でき装置の破損の虞を無くすことが可能となる。
【発明を実施するための最良の形態】
【００１８】
以下、本発明によるオゾン濃縮装置の好適な実施形態について添付図面を参照しながら説明する。図１は、本発明の実施形態に係るオゾン濃縮装置を備えた高濃度オゾンガス生成装置を示す概略構成図、図２は、図１中のオゾン濃縮装置の冷却部、液封配管、気化部を示す概略構成図であり、本実施形態の高濃度オゾンガス生成装置は、例えば半導体製造装置の酸化膜の形成等に用いる高濃度オゾンガス（一般的にオゾンの体積比率が約１０％以上）を生成するもので、この高濃度オゾンガスを連続して生成するのが可能な装置である。
【００１９】
図１に示すように、高濃度オゾンガス生成装置２００は、オゾンガス（オゾンの体積比率が約１０％程度）を生成するオゾナイザ１０と、冷却手段１及び気化部２を備えオゾナイザ１０からのオゾンガスを濃縮し高濃度オゾンガスを生成するオゾン濃縮装置１００と、を具備している。
【００２０】
オゾナイザ１０は、配管２７を介して導入される酸素又は空気を基に、オゾンガス（オゾンの体積比率が約１０％程度）を生成するものである。
【００２１】
冷却手段１は、オゾナイザ１０からのオゾンガスを冷却し液体オゾンと非凝縮気体とに分離するものである。この冷却手段１は、オゾナイザ１０に接続されて当該オゾナイザ１０からのオゾンガスを導入する導入配管３を、極低温に冷却する極低温冷凍機４を備えている。
【００２２】
ここでは、極低温冷凍機４としてクライオ冷凍機が用いられ、当該クライオ冷凍機４のクライオヘッド４ａに取り付けられた下部銅板４ｂと上部銅板４ｃとを冷却部４ｘとして、この冷却部４ｘを構成する銅板４ｂ，４ｃ間に導入配管３を密着状態で挟み冷却する。これにより、銅板４ｂ，４ｃ間の導入配管３が、オゾンガスを液体オゾンと非凝縮気体とに分離するための冷却管３ｃとされる。
【００２３】
この冷却部４ｘは、冷却管３ｃ中のオゾンガスを、オゾンの沸点（−１１１．９°Ｃ）以下で、且つ、酸素の沸点（−１８３°Ｃ）より高い温度に冷却し、液体オゾンと、酸素を主体とする非凝縮気体とに分離する。また、この冷却部４ｘは、気化部２側まで延出する延出部４ｙを備えている。
【００２４】
冷却管３ｃは、冷却部４ｘでの入口３ａから出口３ｂに向けて下り勾配とされており、当該冷却管３ｃ内に液体オゾンが貯留してしまうことが防止されている。
【００２５】
冷却管３ｃの出口３ｂには、上方に向かう気体配管５と下方に向かう液封配管６とが合流して接続されている。気体配管５は、冷却管３ｃで分離された酸素を主体とする非凝縮気体を、出口３ｂから上方に導くものである。この気体配管５は、その出口が配管２７に接続され、分離された非凝縮気体をオゾナイザ１０に戻す構成とされている。
【００２６】
一方、液封配管６は、図１及び図２に示すように、冷却管３ｃの出口３ｂと気化部２の入口２ａとを接続し、冷却管３ｃで分離され出口３ｂより液下する液体オゾンを気化部２に導くためのものであると共に、当該液体オゾンにより、冷却管３ｃ及び気体配管５側と、気化部２側とを液封するものである。
【００２７】
ここでは、液封配管６としてＵ字管が用いられ、当該Ｕ字管６内であって冷却管３ｃの出口３ｂより多少下方位置に、液体オゾンと非凝縮気体との分離境界面７が位置する構成とされている。
【００２８】
この液封配管６内には、毛細管力を発現し、液封配管６内の液体オゾンを気化部２内に導く充填材８が充填されている。ここでは、充填材８は、金網状充填材であり、毛細管力を発現すべく密に構成されている。
【００２９】
この充填材８としては、金網状充填材に限定されるものではなく、例えば密に配置される細い金属材料やガラス繊維、例えば多数配置される細かいシリカゲルやポーラスシリカ等であっても良く、要は、毛細管力を発現する充填材であれば良い。そして、液封配管６は、冷却部４ｘの延出部４ｙ内を通されて銅板４ｂ，４ｃ間に密着状態で挟まれ、当該延出部４ｙにより冷却される。
【００３０】
気化部２は、液封配管６からの液体オゾンを気化するためのもので、円筒状の胴部を有し、下部が下細りの擂り鉢状に閉じられて下端に入口２ａが設けられていると共に、上部が上細りの擂り鉢状に閉じられて上端に出口２ｂが設けられている。
【００３１】
この気化部２の入口２ａは、底部の略中央に設けられていると共に、分離境界面７以上の高さにあり、金網状の充填材８は、液体オゾンを毛細管力により気化部２の底部内に供するように入口２ａを通して内部に進入している。
【００３２】
図３及び図４に示すように、底面２ｃ上には、上方に突出するフィン３１ａ，３１ｂ，３１ｃ，３１ｄが入口２ａを中心として環状に断続的に設けられており、このフィン３１ａ〜３１ｄは底面２ｃを内側と外側とで区切っている。また、環状方向に隣り合うフィン３１ａ〜３１ｄ同士の間には液体オゾンが通過する流路となる連通部３２ａ，３２ｂ，３２ｃ，３２ｄが各々設けられている。これらのフィン３１ａ〜３１ｄ、連通部３２ａ〜３２ｄは、入口２ａを中心とした四等配の位置に設けられている。
【００３３】
また、フィン３１ａ〜３１ｄの外側には、フィン３３ａ，３３ｂ，３３ｃ，３３ｄが入口２ａを中心として環状に断続的に設けられ、そのフィン３３a〜３３ｄ同士の間には連通部３４ａ，３４ｂ，３４ｃ，３４ｄが設けられ、これらのフィン３３ａ〜３３ｄ、連通部３４ａ〜３４ｄは入口２ａを中心とした四等配の位置に設けられている。更に、これらのフィン３３ａ〜３３ｄ、連通部３４ａ〜３４ｄの外側には、同様にしてフィン及び連通部が幾重にも設けられている。これらの連通部は、内側の連通部に対して、これに径方向に隣接する外側の連通部が径方向に重ならないように配置されている。そして、底面２ｃの全領域にわたってフィン及び連通部より成るフィンパターン３５が形成される。この底面２ｃ及びフィンパターン３５により広い伝熱面積が確保されている。なお、底面２ｃ及びフィンパターン３５におけるフィンと連通部は、ここでは、ステンレス鋼により形成されている。
【００３４】
このように、底面２ｃ及びフィンパターン３５はステンレス鋼で形成されているため、オゾンにより直後は酸化されるが、継続してオゾンに浴することにより、表面に不導体被膜が形成され（不導体処理）、オゾンにより酸化されなくなる。なお、底面２ｃ及びフィンパターン３５はチタンで形成されていてもよい。
【００３５】
図５に示すように、フィン上部３６の内縁部３６ａ及び外縁部３６ｂは円弧状に構成されている。また、径方向に隣り合うフィン同士の間には凹部３７が形成され、その凹部３７におけるフィン底部３８の内縁部３８ａ及び外縁部３８ｂも円弧状に構成されている。そして、フィン上部３６の円弧とフィン底部３８の円弧とは直線で結ばれており、また、径方向に隣り合うフィン同士の間隔は、上方側が下方側よりも大きく構成されている。なお、フィンパターン３５におけるフィンの縁部は、フィン上部３６及びフィン底部３８の内外縁部に限らず、図５において図示されない部分（例えば、側縁部）も全て円弧状に構成されている。
【００３６】
また、フィン上部３６の円弧の半径ｒは０．０５〜１ｍｍ程度とされ、その中心角Ａは１８０°より小（好ましくは１２０°〜１６０°）とされており、フィン底部３８の円弧の半径Ｒはフィン上部３６よりも大きく、且つ０．１〜２ｍｍ程度とされ、その中心角Ｂは１８０°より小（好ましくは１２０°〜１６０°）とされる。なお、底面２ｃ及びフィンパターン３５は、バフ研磨の後、電解研磨を施すことにより鏡面仕上げとされる。
【００３７】
そして、液封配管６の充填材８を介して気化部２内に供給される液体オゾンの液面５０は、フィン上部３６の上端よりも低い位置となるように設定されている。
【００３８】
また、図３に示すように、気化部２の底板２ｄの下面には、この底板２ｄを介して気化部２内の液体オゾンを加熱するための加熱部４０が設けられており、この加熱部４０は、液封配管６と同軸のドーナツ形状に構成されている。この加熱部４０は、その外周壁４０ａが底板２ｄの外周面と同一径とされると共に、その内周壁４０ｂが液封配管６よりも大きな径とされ、底壁４０ｅにより閉じられている。
【００３９】
そして、加熱部４０の外周壁４０a、内周壁４０ｂ及び底壁４０eと底板２ｄにより画成される内部は空洞となっており、その内部空間は、図６に示すように、液封配管６と同軸に設けられ径の異なる環状の仕切板４０ｃ，４０ｄで区切られ、外周壁４０ａと仕切板４０ｃとの間に外側の区画４１が、仕切板４０ｃと仕切板４０ｄとの間に中側の区画４２が、４０ｄと４０ｂとの間に内側の区画４３が各々設けられる。
【００４０】
図３及び図６に示すように、外周壁４０ａには区画４１に加熱ガスＧ１（温度Ｔ１）を導入するための導入管４５ａが接続され、この外周壁４０ａにおける導入管４５ａの反対の位置には、加熱ガスＧ１を区画４１から排出する排出管４５ｂが接続されている。また、仕切板４０ｃには外周壁４０ａを貫通して区画４２に加熱ガスＧ２（温度Ｔ２）を導入するための導入管４６ａが接続されて導入管４５ａの下方に設けられ、仕切板４０ｃにおける導入管４６ａの反対側の位置には、外周壁４０ａを貫通し加熱ガスＧ２を区画４２から排出する排出管４６ｂが接続されている。同様に、仕切板４０ｄには、外周壁４０ａ及び仕切板４０ｃを貫通して区画４３に加熱ガスＧ３（温度Ｔ３）を導入するための導入管４７ａが接続されて導入管４６ａの下方に設けられ、仕切板４０ｄにおける導入管４７ａと反対側の位置には、外周壁４０ａ及び仕切板４０ｃを貫通して加熱ガスＧ３を区画４３から排出する排出管４７ｂが接続されている。この加熱ガスの温度の関係は、Ｔ１＞Ｔ２＞Ｔ３となっている。そして、加熱ガスＧ１，Ｇ２，Ｇ３の温度Ｔ１，Ｔ２，Ｔ３は、気化部２内の液体オゾンが、図９における非沸騰域あるいは核沸騰域におけるＢ点以下で気化されるように設定されている。
【００４１】
なお、気化部２の底板２ｄの下面には、加熱ガスからの熱を効率よく液体オゾンに伝達させるための環状のフィン４８が、区画４１，４２，４３に突出するように設けられている。
【００４２】
図１及び図２に示すように、この気化部２内の下部より上側には、気化により生成される高濃度の濃縮オゾン（高濃度オゾンガス）の通過を可能とする充填材２０が充填されている。ここでは、充填材２０は、金網状充填材とされているが、例えば、金属波板状充填材や、シリカゲルやポーラスシリカ等であっても良く、要は、濃縮オゾンの通過を可能とする充填材であれば良い。なお、気化部２内の金網状充填材２０は、液封配管６内の金網状充填材８より粗に構成されている。因みに、液封配管６及び気化部２内の両方に多数のシリカゲルやポーラスシリカを充填する場合には、気化部２内に、液封配管６内より大きいシリカゲルやポーラスシリカを充填することが好ましい。
【００４３】
この気化部２の出口２ｂには、図１に示すように、バルブＶ１を有する高濃度オゾンガス配管１１が接続され、この高濃度オゾンガス配管１１のバルブＶ１より上流には、バルブＶ２、オゾンキラー１３を有する排気管１２が接続されている。高濃度オゾンガス配管１１は、気化部２で生成された高濃度オゾンガスを後段に供するためのものであり、排気管１２は、余剰高濃度オゾンガスをオゾンキラー１３により酸素に分解し大気に放出するためのものである。
【００４４】
そして、冷却手段１の冷却部４ｘ、導入配管３における冷却部４ｘ側の部分、気体配管５における冷却部４ｘ側の部分、液封配管６、気化部２、高濃度オゾンガス配管１１におけるバルブＶ１より気化部２側の部分は、容器１４内に収容され、当該容器１４は、真空ポンプ１５の駆動により内部が真空状態とされた真空断熱容器とされている。
【００４５】
この真空断熱容器１４内における高濃度オゾンガス配管１１及び気体配管５には、オゾン分解が生じた際の配管内の圧力上昇に応じて圧力が設定圧以上になると当該配管内の圧力を開放する圧力開放弁１６，１７が各々配設されている。ここでは、圧力開放弁１６，１７として安全弁が用いられているが、配管内の圧力上昇に応じて圧力が設定圧以上になると一部が破壊し圧力を開放する破壊弁等であっても良い。そして、液体オゾンの全部が万一オゾン分解して圧力開放弁１６，１７が圧力を真空断熱容器１４内に開放した場合に配管内の圧力がオゾンガスの供給圧以下となるように、真空断熱容器１４内の空隙部の容積が設定されている。
【００４６】
このように構成された高濃度オゾンガス生成装置２００によれば、酸素又は空気を基にオゾナイザ１０でオゾンガスが生成され、このオゾンガスは導入配管３を通してオゾン濃縮装置１００に導入され、冷却手段１の冷却部４ｘで極低温に冷却される。このオゾンガスは、冷却管３ｃの出口３ｂ付近で、液体オゾンと、酸素を主体とする非凝縮気体とに分離され、非凝縮気体は気体配管５を通してオゾナイザ１０に戻されオゾンガスの生成に供され、一方、液体オゾンは液封配管６に流れ込む。
【００４７】
この液封配管６内に流れ込んだ液体オゾンは、液封配管６内の充填材８の毛細管力により気化部２側へ進行していく。ここで、液体オゾンと非凝縮気体との分離境界面７は、液封配管６内であって冷却管３ｃの出口３ｂより多少下方に位置し、一方、液体オゾンの気化部２側の液面は、気化部２の入口２ａが分離境界面７以上の高さにあるため、入口２ａ以下の位置にある。
【００４８】
この液封配管６内の液体オゾンは、毛細管力により更に充填材８を伝っていき、入口２ａを通して気化部２の底部内に良好に導かれて微量ずつ進入する。この液体オゾンは底面２ｃの入口２ａ付近に貯まりながら、図４に示す連通部３２ａ〜３２ｄを通過する。ここで、連通部３２ａ〜３２ｄはこれにより外側の連通部３４ａ〜３４ｄと径方向に重なっていないので、液体オゾンはフィン３３ａ〜３３ｄにより外側への進行が妨げられながら、連通部３４ａ〜３４ｄを通過する。このような作用がフィンパターン３５全体において奏されながら、液体オゾンは外側へ進行していき、入口２ａから供給された液体オゾンは、ショートパスすることなく底面２ｃ全体に満遍なく広がるこことなる。
【００４９】
この底面２ｃに満遍なく広がった液体オゾンは、液体オゾンを気化させるために必要な液位を確保した状態で、フィンの体積分だけ、気化部２の底部に貯留される液体オゾンの量が少なくされている。そして、このように貯留された液体オゾンは加熱部４０により加熱される。
【００５０】
加熱部４０は、図３に示すように、導入管４５ａから加熱ガスＧ１を導入し、外側の区画４１内に加熱ガスＧ１を送り込むことにより底板２ｄを介して液体オゾンを加熱し、また、中側の区画４２内に加熱ガスＧ１より低温の加熱ガスＧ２を送り込んで液体オゾンを加熱し、また、内側の区画４３内に加熱ガスＧ２より低温の加熱ガスＧ３を送り込んで液体オゾンを加熱する。
【００５１】
ここで、液体オゾンは、加熱部４０の加熱ガスＧ１，Ｇ２，Ｇ３により非沸騰域あるいは独立気泡の条件である核沸騰域におけるＢ点以下で気化される。従って、低い熱流束で気泡の発達が抑えられた状態で液体オゾンは気化する。このとき、底面２ｃ及びフィンパターン３５により広い熱伝達面積が確保されているため、効率よく液体オゾンが気化する。
【００５２】
ここで、気化部２にあっては、冷却管３によって冷却された直後の液体オゾンが、液封配管６を介して底面２ｃの入口２ａから供給されるため、入口２ａ付近の液体オゾンが最も温度が低く、外周側へ行くに従ってその温度は高くなる。よって、入口２ａ側における液体オゾンと底面２ｃとの間の温度差（過熱度）は、外周側における液体オゾンと底面２ｃとの間の温度差（過熱度）に比べて大きい。本実施形態では、このような温度分布をもつ気化部２に対して加熱ガスＧ１，Ｇ２，Ｇ３が供給される。
【００５３】
従って、最も液体オゾンの温度が高い外周側は最も温度が高い加熱ガスＧ１で加熱され、最も液体オゾンの温度が低い入口２ａ側は最も温度が低い加熱ガスＧ３で加熱されることとなる。これによって、入口２ａ側における液体オゾン及び底面２ｃの間の温度差（過熱度）と、外周側における液体オゾン及び底面２ｃの間の温度差（過熱度）が、略均一とされる。
【００５４】
ここで、本実施形態に係る加熱部４０で液体オゾンを加熱した場合と、区画を設けない加熱部に、加熱ガスを導入して加熱した場合の比較を行う。図７（ｂ）に示すように、区画を設けない加熱部にて加熱した場合は、外周側の液体オゾンの温度Ｔ６と底面の温度Ｔ７との温度差に比べて、入口側の温度差が大きくなっている。それに対して、本実施形態に係る加熱部４０にて加熱した場合は、外周側の液体オゾンの温度Ｔ４と底面２ｃの温度Ｔ５との温度差と、入口２ａ側の温度差がほぼ同一となっている。以上より、本実施形態に係る加熱部４０を採用することにより、外周側の温度差と入口２ａ側との温度差が確実に略均一とされ、気泡の発生が抑止される。
【００５５】
ここで、液体オゾンが加熱部４０によって加熱される際、フィンパターン３５の表面にて気泡が発生しても、本実施形態では、フィンパターン３５におけるフィンの縁部は円弧状に構成されているため、その位置において気泡が発生しても上方に離脱し易くなり、合体気泡の発生が防止される。また、フィンの縁部が鋭利な形状である場合は、気泡が接触破裂する虞があるが、フィンの縁部が円弧状に構成されているため、気泡の接触による破裂が防止される。また、フィン上部３６の円弧とフィン底部３８の円弧とは直線で結ばれており、一層気泡の接触による破裂が防止される。更に、フィンが鏡面仕上げされることによって平面平滑度が向上し、微小ピットが減少するため、より一層気泡の接触による破壊が防止される。また、フィンパターン３５における径方向に隣り合うフィン同士の間隔は、上方側が下方側よりも大きく構成されており、凹部３７が上方に向かって広がるような形状となるため、凹部３７で発生した気泡が上方に一層離脱し易くされている。
【００５６】
そして、このように液体オゾンは、オゾン分解が抑制された状態で気化し、加熱部４０で液体オゾンを加熱することによって、オゾンガスが生成され、この高濃度オゾンガスは、充填材２０を通過して出口２ｂから排出される。
【００５７】
そして、本実施形態にあっては、オゾンの体積比率が１００％近くの高濃度オゾンガスが生成される。この高濃度オゾンガスは、後段の使用に供す場合には高濃度オゾンガス配管１１に流され、一方、余剰高濃度オゾンガスは排気管１２に流されオゾンキラー１３により酸素に分解されてから大気に放出される。
【００５８】
このように、本実施形態のオゾン濃縮装置１００にあっては、底面２ｃに内側と外側とを区切るフィンが設けられているため、液体オゾンを気化させる際の単位面積あたりの熱伝達面積が大きく確保されると共に、フィンの内側と外側とを連通する連通部により液体オゾンが底面２ｃの全領域にわたって満遍なく及ぶため、低い熱流束で液体オゾンを気化させ気泡の発生を抑え破裂によるオゾン分解を防止しつつ、大きくされた熱伝達面積により、効率よく大量の液体オゾンを気化させることが可能とされている。また、液体オゾンを気化させるために必要な液位を確保した状態で、フィンにより気化部２に貯留する液体オゾンが減少されるため、一層オゾン分解が防止される。以上により、効率のよい液体オゾンの気化が可能とされていると共に、装置の破壊の虞が無くされている。
【００５９】
なお、通常の気化装置においては、高い熱流束（単位面積当たりに伝えられる熱量）で効率よく液体を気化させるため、液体中に発生した蒸気泡を核として気泡を生じさせる核沸騰域（図９参照）にて沸騰させるが、このように高い熱流束にて加熱すると急激な気化が起こり大量の気泡が発生し、この気泡の破裂がトリガーとなりオゾン分解が生じる虞があるので好ましくない。また、フィンを設けずに低い熱流束にて気化させた場合、大気圧下では大量の液体オゾンを気化することができず、好ましくない。
【００６０】
また、本実施形態にあっては、フィンパターン３５においては、連通部が、径方向に隣接する連通部と、径方向に重ならないように設けられているため、液体オゾンがショートパスすることなく底面の全領域にわたって一層満遍なく及ぶこととなり、確実に伝熱面積を大きくすることが可能とされている。
【００６１】
また、フィンの縁部が円弧状に構成されているため、その位置において気泡が発生しても上方に離脱し易くなり、合体気泡による破裂の虞が無くされていると共に、フィンの縁部に対する気泡の接触による破裂が防止されている。また、フィン上部３６の円弧とフィン底部３８の円弧とは直線で結ばれているため、一層気泡の接触による破裂が防止される。また、フィンパターン３５における凹部３７が上方に向かって広がるような形状であるため、凹部３７で発生した気泡が上方に一層離脱し易くされている。これによって、オゾン分解を一層防止することが可能とされている。
【００６２】
また、気化部２内の液体オゾンと底面２ｃとの間の温度差が、中心となる入口２ａ側と外周側とで略均一となるように加熱部４０へ加熱ガスが供給されるため、気化部２内において過熱度の不均一化が防止され、これによって、オゾン分解が抑制され、装置の破損の虞が無くされている。なお、図７で説明したように、入口２ａ側の過熱度が大きいと、大量の気泡が発生し易くなり、この気泡の破裂がトリガーとなりオゾン分解が生じる虞があるので好ましくない。
【００６３】
また、本実施形態にあっては、中心である入口２ａ側と外周側とで異なる温度の加熱ガスが供給され、入口２ａ側における液体オゾン及び底面２ｃの間の温度差と、外周側における液体オゾン及び底面２ｃの間の温度差が、容易に略均一とされるため、気化部２内において過熱度の不均一化が一層防止され、これによって、オゾン分解が一層抑制され、装置の破損の虞が一層無くされている。
【００６４】
また、分離境界面７と気化部２との間が、液封を可能とする液封配管６で接続され、液体オゾンが液封配管６内に存在すると共に分離境界面７が液封配管６内に位置しているため、従来に比して液体オゾンの量が大幅に低減されている。従って、気化部２で万一オゾン分解が生じても、液体オゾンの気化量が大幅に少なくされて連鎖的なオゾン分解が抑制され、装置の破損の虞が無くされている。
【００６５】
また、液封配管６内には、毛細管力を発現する充填材８が充填されているため、液封配管６内の充填材８の毛細管力により液体オゾンは気化部２に微量ずつ良好に導かれ、上記気化部の作用、すなわち気化部２の底面２ｃの内側から外側まで液体オゾンを少ない量で満遍なく行きわたらせるという作用を、一層好適に奏することが可能とされている。また、気化部２で万一オゾン分解が生じても、発生する熱は液封配管６内にあっては充填材８の熱容量により吸収されると共に当該充填材８により液体オゾンの量が一層低減されることになり、液体オゾンの気化による連鎖的なオゾン分解が一層抑制され、装置の破損の虞が一層無くされている。
【００６６】
また、気化部２の入口２ａが分離境界面７以上の高さにあり、充填材８の上端が気化部２の入口２ａを通して内部に進入しているため、液体オゾンは、その液面が気化部２に進入すること無く充填材８の毛細管力により気化部２内に進入して良好に気化し、このように、気化部２内での液体オゾンは極めて少量であるため、気化部２で万一オゾン分解が生じても、液体オゾンの気化による連鎖的なオゾン分解が一層抑制され、装置の破損の虞が一層無くされている。
【００６７】
また、気化部２内には、濃縮オゾンの通過を可能とする充填材２０が充填されているため、気化部２で万一オゾン分解が生じても、発生する熱は気化部２内の充填材２０の熱容量により吸収される。このため、気化部２内での濃縮オゾンの連鎖的なオゾン分解が抑制され、装置の破損の虞が一層無くされている。
【００６８】
また、液封配管６は冷却手段１により冷却されるため、気化部２で万一オゾン分解が生じても、発生する熱は液封配管６では冷却手段１により冷却される。このため、液体オゾンの気化による連鎖的なオゾン分解が一層抑制され、装置の破損の虞が一層無くされている。また、液封配管６内の液体オゾンの気化により気泡が生じると充填材８の毛細管作用が途切れる虞があるが、液封配管６が冷却手段１により冷却されるため、気泡の発生が抑制され、毛細管作用が確実に働くことになっている。
【００６９】
また、冷却部４ｘ、液封配管６、気化部２、圧力開放弁１６，１７が真空断熱容器１４内に収容され、液体オゾンの全部が万一オゾン分解して圧力開放弁１６，１７が圧力を真空断熱容器１４内に開放した場合に配管内の圧力がオゾンガスの供給圧以下となるように、真空断熱容器１４内の空隙部の容積が設定されているため、オゾン分解時のガス圧が圧力開放弁１６，１７を介して真空断熱容器１４内の空隙部に良好に開放され、装置の破損の虞が一層無くされている。また、真空断熱状態１４により、冷却手段１による冷却及び気化部２での加熱が効率的に成されるようになっている。
【００７０】
更にまた、冷却手段１の冷却部４ｘにより冷却され液封配管６に接続されるオゾン流路が、液封配管６との接続部側、すなわち出口３ｂ側に向かって下り勾配にされているため、当該流路に液体オゾンが貯留することが防止され、装置の破損の虞が一層無くされている。
【００７１】
図８は、他のフィンを示す拡大断面図である。上記実施形態では、フィン上部３６及びフィン底部３８，３８間は円弧とされているが、図に示すように放物線構造であってもよい。このとき、フィン上部３６の最小径ｒは０．０５〜１ｍｍ程度とし、フィン底部３８の最小径Ｒは、フィン上部３６よりも大きく、且つ０．１ｍｍ以上とするのが好ましい。
【００７２】
図１０は、他のフィンパターンを示す横断面図であり、図４に対応する断面図である。このうち、図１０（ａ）のフィンパターン１３５が先のフィンパターン３５と違う点は、上方に突出するフィン１３１が入口２ａを中心として矩形状に断続的に設けられ、この矩形状の四隅に連通部１３２が各々設けられており、また、フィン１３１の外側に、フィン１３３が入口２ａを中心として矩形状に断続的に設けられており、この矩形状の四辺のそれぞれの中央に連通部１３４が各々設けられており、更に、これらのフィン１３３の外側に、２つ前と同様なフィン及び連通部が設けられ、このようなフィン及び連通部が幾重にも設けられている点である。
【００７３】
また、図１０（ｂ）のフィンパターン２３５が先のフィンパターン３５と違う点は、上方に突出するフィン２３１が入口２ａを中心として矩形状に断続的に設けられ、この矩形状の四隅に連通部２３２が各々設けられており、また、フィン２３１の外側に、フィン２３３が、入口２ａを中心としてフィン２３１から４５°回転させた矩形状に断続的に設けられており、この矩形状の四隅に連通部２３４が各々設けられており、更に、これらのフィン２３３の外側に、２つ前と同様なフィン及び連通部が設けられ、このようなフィン及び連通部が幾重にも設けられている点である。これらのフィンパターン１３５，２３５であっても、フィンパターン３５と同様な作用効果を奏する。このように、フィンは、入口２ａを中心として径方向の異なる位置に設けられていればよい。
【００７４】
以上、本発明をその実施形態に基づき具体的に説明したが、本発明は上記実施形態に限定されるものではなく、上記実施形態においては、フィンを環状に断続的に設け、環状方向に隣り合うフィンの間に連通部を設けるようにしているが、環状のフィンに径方向へ向かって貫通穴を開けることにより連通部を形成してもよい。このときの貫通穴の縁部は円弧状とするのが好ましい。
【００７５】
また、入口２ａを底面２ｃの中心に設けるようにしているが、中心以外の位置に設けてもよく、更に、気化部２の側面に設けてもよい。この場合には、フィンや加熱部４０の中心も入口２ａに対応してずらされ、上方から見て例えば同心円状ではなく円弧状に形成される場合もある。
【００７６】
また、上記実施形態においては、特に好ましいとして、加熱部４０に加熱ガスを導入しているが、これに限定されるものではなく、液体を導入してもよく、要は流体であればよい。
【図面の簡単な説明】
【００７７】
【図１】本発明の実施形態に係るオゾン濃縮装置を備えた高濃度オゾンガス生成装置を示す概略構成図である。
【図２】図１中のオゾン濃縮装置の冷却部、液封配管、気化部を示す概略構成図である。
【図３】図１中のオゾン濃縮装置の気化部の構成を示す縦断面図である。
【図４】図３に示されるＩＶ−ＩＶ線に沿った断面図である。
【図５】図３中のフィンを示す拡大断面図である。
【図６】図３に示されるＶＩ−ＶＩ線に沿った断面図である。
【図７】気化部の底面と液体オゾンとの温度差を示す線図であり、（ａ）は本実施形態に係る加熱部を採用した時の温度差を示す線図、（ｂ）は加熱部に区間を設けない場合の温度差を示す線図である。
【図８】他のフィンを示す拡大断面図である。
【図９】液体オゾンの沸騰曲線と沸騰領域を示す線図である。
【図１０】（ａ）と（ｂ）のいずれも、他のフィンパターンを示す横断面図であり、図４に対応する断面図である。
【符号の説明】
【００７８】
１…冷却手段、２…気化部、２ａ…入口、２ｃ…底面、６…液封配管（液封部）、７…分離境界面、８…充填材、１０…オゾナイザ、３１ａ〜３１ｄ，３３ａ〜３３ｄ，１３１，１３３，２３１，２３３…フィン、３２ａ〜３２ｄ，３４ａ〜３４ｄ，１３２，１３４，２３２，２３４…連通部、３６…フィン上部（フィンの上部）、３６ａ…フィン上部の内縁部（縁部）、３６ｂ…フィン上部の外縁部（縁部）、３８…フィン底部（フィンの底部）、３８ａ…フィン底部の内縁部（縁部）、３８ｂ…フィン底部の外縁部（縁部）、１００…オゾン濃縮装置、２００…高濃度オゾンガス生成装置。
【図１】
2008007339.tif 000003
【図２】
2008007339.tif 000004
【図３】
2008007339.tif 000005
【図４】
2008007339.tif 000006
【図５】
2008007339.tif 000007
【図６】
2008007339.tif 000008
【図７】
2008007339.tif 000009
【図８】
2008007339.tif 000010
【図９】
2008007339.tif 000011
【図１０】
2008007339.tif 000012